(57)【特許請求の範囲】
【請求項１】
筒型の苗木保護カバーの上端開口部に装着される筒型のキャップであって、一端側の断面形状が前記保護カバーの断面形状と略同一で且つ少なくともその一部が前記保護カバーの開口端部の周縁外面を覆うような形態で嵌合可能とされ、他端側の断面形状がそれより広く相似状に広がるラッパ型の筒形状に構成されることを特徴とする苗木保護カバー用キャップ。
【請求項２】
請求項１に記載の苗木保護カバー用キャップにおいて、前記キャップの側面には、外方に突出する係止用突起が設けられることを特徴とする苗木保護カバー用キャップ。
【発明の詳細な説明】
【０００１】
【発明の属する技術分野】
本発明は、苗木の周囲に被せられる苗木保護カバーの形状保持機能を高め且つ苗木が上端開口部で傷付くのを防止する技術に関する。
【０００２】
【従来の技術】
従来、例えば山林等に植樹した苗木を野生動物等から保護するため、植樹した苗木の周囲を合成樹脂製の筒状の保護カバーで覆うような技術が知られており、このような技術では、例えば図６に示すように、苗木Ｎの植付けが終えた後、この周囲を囲うように筒状の保護カバー５１を被せ、必要に応じて下端の一部を土中に埋め込むとともに、風等で倒れないよう、保護カバー５１に近くに支柱５２を立設し、この支柱５２に紐Ｍ等を使用して保護カバー５１を縛り付けて固定することにより、鹿やウサギやネズミ等の野生動物による食害を保護するようにしている。
【０００３】
ここで、保護カバー５１は合成樹脂製の筒体であり、例えば断面多角形の筒形状にするためには、樹脂シートを矩形状に打ち抜いた後、複数の折り目線を形成し、この折り目線で折り曲げて筒型に形成するとともに、端部の一部を重ね合わせて溶着するようにしており、例えば現場へ搬送する時には筒を潰した状態で嵩張らないようにして搬送し、植栽現場等において筒形状に復元させて設置するような作業が一般的に行われる。
【０００４】
【発明が解決しようとする課題】
ところが、上記のような方法で設置した保護カバー５１は、特に保護カバー５１を紐Ｍ等で縛り付けて支柱５２に固定するような際に筒形状が崩れやすく、形が崩れたまま放置しておくと、苗木の健全な成長を阻害する要因になるという問題があった。
また保護カバー５１の上端開口部を鋭利な状態にしていると、苗木Ｎが成長して保護カバー５１の高さ以上に伸び、枝等の一部が上端開口部から筒外部に出る際に、枝等が鋭利な個所に接触して傷付くという問題もあった。
【０００５】
本発明は上記問題点に鑑みなされたものであり、保護カバーの形状を保持することで苗木の成長を健全なものとし、また保護カバーの上端開口部で苗木が傷付くような不具合を防止することを目的とする。
【０００６】
【課題を解決するための手段】
上記目的を達成するため本発明は、筒型の苗木保護カバーの上端開口部に装着される筒型のキャップを設け、このキャップの一端側の断面形状を保護カバーの断面形状と略同一で且つ少なくともその一部が保護カバーの開口端部の周縁外面を覆うような形態で嵌合可能とし、他端側の断面形状をそれより広く相似状に広がるラッパ型の筒形状に構成した。
【０００７】
このようなラッパ型の筒状キャップを保護カバーの上端開口部に嵌め込み、少なくともその一部が周縁外面を覆うような形態にすることで、保護カバー上端側の形状を正規の形状に規制して形状保持機能を高めることが出来る。
また、キャップの形状を上端側が広がるラッパ型にすることで、苗木の成長に合わせて枝等が円滑に保護カバーの外部に張出すようになり、開口端部で傷付くような恐れがない。
【０００８】
また、キャップの少なくとも一部を保護カバーの外側に出して周縁外面を覆うように嵌合させることにより、キャップが苗木の成長に連れて枝等に引掛けられて一緒に上方に持ち上げられ、保護カバーから外れるような不具合を抑制することができる。
因みに、このようなキャップは任意の材料から成形することが出来るが、合成樹脂から成形すれば簡単で安価に製造出来るため、好適である。
【０００９】
また請求項２では、キャップの側面に、外方に突出する係止用突起を設けるようにした。
【００１０】
そしてこの係止用突起を利用して、例えば保護カバーの近くに立設した支柱等に固定するようにすれば、直接、保護カバーを紐等で縛り付ける必要がなくなり、保護カバーの変形や潰れ等を防止出来るとともに、固定作業を楽に行うことが出来る。
このため、この係止用突起には、例えば紐等を通すための穴や引っ掛かり等の係止部を設けておくことが好ましい。
尚、このような係止用突起は、１箇所だけに設けても良く、２箇所またはそれ以上設けても良い。
【００１１】
【発明の実施の形態】
本発明の実施の形態について添付した図面に基づき説明する。
ここで図１は保護カバーの上部にキャップを装着した状態の斜視図、図２はキャップの形状の一例を示す外観図、図３はキャップの嵌合構造の一例を示す縦断面図、図４は嵌合構造の他の例を示す縦断面図、図５はキャップに係止用突起を設けた例を示す外観図である。
【００１２】
本発明に係る苗木保護カバー用キャップは、例えばスギやヒノキやその他の広葉樹等の苗木を植樹した際、野生動物等の食害から苗木を保護するため設置される筒状の保護カバーＣの上端開口部に装着自在にされ、この保護カバーＣは例えば断面円形、或いは断面多角形状の筒体で両端部が開口した形態で合成樹脂から成形されるとともに、植樹した苗木の周囲を取り囲むように設置されるが、実施形態では、図１に示すように、断面多角形の保護カバーＣに対して適用されている。
【００１３】
この実施形態の保護カバーＣは断面六角形であり、このような保護カバーＣは、工場等で矩形状に裁断された樹脂シートに平行な複数の折り目線を形成し、折り目線に沿って折り曲げて筒型形状にするとともに、端部の一部を重ね合わせて溶着して成形するようにしており、植栽現場に搬送する時は、筒を潰すように折り畳んで嵩張るのを防止し、植栽現場等で筒型に復元させて苗木の周囲に設置するような方法が一般的である。
ここで実施形態では断面六角形の例を示しているが、これ以外の断面多角形や断面円形等の場合もある。
【００１４】
そこで、このような保護カバーＣは、筒形状が崩れやすく、特に支柱等に固定する場合、直接紐等で縛り付けると、変形したり潰れたりしやすいため、本発明に係るキャップ１を装着することで、保形効果を高め、また苗木の成長段階で枝等の一部に傷等を発生しにくくするようにしている。
【００１５】
このキャップ１の一例は、図２にも示すように、一端側の断面形状が保護カバーＣの断面形状と略同一で、他端側がそれより相似状に広がって大径六角形となるラッパ型形状とされ、前記一端側が保護カバーＣに対して嵌合可能にされている。
【００１６】
そしてこのキャップ１の嵌合構造の一例は、図３に示すように、全体の肉厚を厚肉にし、肉厚の中間部に全周に亘って嵌合溝ｍを設けてこの嵌合溝ｍに保護カバーＣの上端部を差込むようにするか、または図４に示すように、嵌合溝ｍを短めにし、保護カバーＣの内側に嵌合する部分を外側部分に比べて短くするようにして、外側部分で保護カバーＣの開口端部の周縁外側を覆うようにしている。
【００１７】
このように保護カバーＣの端部を嵌合溝ｍに差込むと同時に、保護カバーＣの開口端部の周縁外側をキャップ１の一部で覆うように嵌合させれば、苗木の成長に伴って枝等の一部がキャップ１を持ち上げようとしても持ち上げにくくなり、キャップ１が保護カバーＣから外れにくくなる。
これに対して、キャップ１を保護カバーＣの筒の内側だけに差込んで装着していると、枝等がキャップ１に引っ掛かって成長すると保護カバーＣから外れやすくなって好ましくない。
【００１８】
そして、このようなキャップ１は、例えばポリプロピレンやポリエチレン等の合成樹脂に、帯電防止剤、紫外線吸収剤、ヒンダードアミン系光安定剤、酸化防止剤、滑剤、ブロッキング防止剤、無機充填剤、着色剤等の各種添加剤を添加して得た合成樹脂組成物から射出成形等によって成形されている。
因みに、前記保護カバーＣも同様な合成樹脂材料から成形され、例えば高さが約１８００ｍｍ、六角筒の内径（コーナ部の対角線長さ）が約１２０ｍｍ程度のサイズに成形されている。
【００１９】
次に、このような苗木保護カバー用キャップの作用等について説明する。
苗木を植樹すると、この苗木の周囲を覆うように保護カバーＣが被せられ、この保護カバーＣの上端開口部にはキャップ１が装着される。
またこの保護カバーＣの近くには支柱が立設され、紐等が保護カバーＣと支柱との間に結ばれて固定される。
【００２０】
この際、キャップ１によって保護カバーＣの形状が保持されているため、保護カバーＣが潰れたり変形しにくくなり、固定作業を楽に行うことが出来る。
【００２１】
次に、苗木が成長し、保護カバーＣの高さを超えるようになると、枝や幹の一部が保護カバーＣの筒内から外部に張出すようになるが、キャップ１の上部側が開いているため円滑に張出すことが出来、枝等の一部が傷付くような不具合がない。このため、苗木の健全な成長が図れる。
【００２２】
ところで、以上のようなキャップ１の外部には、図５に示すような係止用突起２を設けるようにしても良い。
そしてこの係止用突起２には、例えば紐等を通すことの出来る貫通孔ｈ等を形成し、支柱に固定する際、この係止用突起２の貫通孔ｈに紐等を通して支柱に結びつけるようにすれば、固定作業が一層楽に行え、しかも保護カバーＣの周囲に紐等を巻きつける必要がなくなるため、変形等の不具合を一層抑制することが出来る。
因みに、この係止用突起２の貫通孔ｈの代わりに、紐等を引掛けることの出来る係止部等を設けても良い。
【００２３】
ところで、係止用突起２の数を実施形態のように２箇所設ければ、支柱を２本立ててしっかり固定したいような時に便利であるが、支柱を１本だけ立てるような場合は、係止用突起２を１箇所だけに設けるようにしても良い。更に３箇所以上設けるようにしても良い。
【００２４】
尚、本発明は以上のような実施形態に限定されるものではない。本発明の特許請求の範囲に記載した事項と実質的に同一の構成を有し、同一の作用効果を奏するものは本発明の技術的範囲に属する。
例えば保護カバーＣの筒型断面形状は一例であり、また係止用突起２の形状等も任意である。
【００２５】
【発明の効果】
以上のように本発明に係る苗木保護カバー用キャップは、筒型の苗木保護カバーの上端開口部に装着される筒型のキャップを設け、このキャップの一端側の断面形状を保護カバーの断面形状と略同一で且つ少なくとも一部が保護カバーの開口端部の周縁外面を覆うような形態で嵌合可能とし、他端側の断面形状をそれより広く相似状に広がるラッパ型の筒形状に構成したため、保護カバーの筒型形状の保持機能が高まり、苗木の成長が阻害されるような不具合を除去することが出来る。
また、キャップの形状がラッパ型であるため、苗木の成長に合わせて枝等が筒外に円滑に張出すようになり、開口端部で傷付くような恐れがない。
また請求項２のように、キャップの側面に、外方に突出する係止用突起を設ければ、例えば保護カバーの近くに立設した支柱等に固定する作業を楽に行うことが出来、また直接、保護カバーの変形防止や潰れ防止を一層効果的ならしめることが出来る。
【図面の簡単な説明】
【図１】保護カバーの上部にキャップを装着した状態の斜視図
【図２】キャップの形状の一例を示す外観図
【図３】キャップの嵌合構造の一例を示す縦断面図
【図４】嵌合構造の他の例を示す縦断面図
【図５】キャップに係止用突起を設けた例を示す外観図
【図６】従来の苗木保護カバーの設置状態図
【符号の説明】
１…キャップ、２…係止用突起、Ｃ…保護カバー。
【図１】
0003989118.tif 000002
【図２】
0003989118.tif 000003
【図３】
0003989118.tif 000004
【図４】
0003989118.tif 000005
【図５】
0003989118.tif 000006
【図６】
0003989118.tif 000007